(57)【要約】【課題】ＬＥＤ電光板ケースのメンテナンス性及び防水性を向上させる。【解決手段】第１フレーム１００と第２フレーム２００を開閉可能に結合するヒンジ部３００と、第１フレーム１００と第２フレーム２００を締結して閉鎖状態を維持するフレーム締結部４００とを備え、第１フレーム１００は、第２フレーム２００と対向する面に沿い、ケース外側方向を向いて形成される排水路１１０と、排水路１１０内の水が排水路１１０と第２フレーム２００との間の空間に溢れることを防止する溢れ防止パッキン１２０とを備え、第２フレーム２００は、第１フレーム１００と対向する面に沿い、排水路１１０よりもケース外側位置に形成されるパッキン設置部２１０と、パッキン設置部２１０に設置され、第１フレーム１００と第２フレーム２００との間の空間を防水する防水パッキン２２０とを備える。【選択図】図３
2014081609.tif 000002
【特許請求の範囲】
【請求項１】
屋外に設置されるＬＥＤ電光板のケースであって、
第１フレームと、
第２フレームと、
前記第１フレームと前記第２フレームを開閉可能に結合するヒンジ部と、
前記第１フレームと前記第２フレームを締結して閉鎖状態を維持するフレーム締結部とを備え、
前記第１フレームは、
前記第２フレームと対向する面に沿い、ケース外側方向を向いて形成される排水路と、
前記排水路内の水が前記排水路と前記第２フレームとの間の空間に溢れることを防止する溢れ防止パッキンとを備え、
前記第２フレームは、
前記第１フレームと対向する面に沿い、前記排水路よりもケース外側位置に形成されるパッキン設置部と、
前記パッキン設置部に設置され、前記第１フレームと前記第２フレームとの間の空間を防水する防水パッキンとを備えることを特徴とする屋外用オープン型ＬＥＤ電光板ケース。
【請求項２】
前記溢れ防止パッキンは、
前記第１フレームの排水路に形成された立上り部に圧入結合される結合部と、
前記第２フレームに圧接される圧接部とで形成されることを特徴とする請求項１に記載の屋外用オープン型ＬＥＤ電光板ケース。
【請求項３】
前記防水パッキンは、
前記第２フレームのパッキン設置部に成形されるパッキン結合突起に圧入結合される結合部と、
前記第１フレームに圧接される圧接部とで形成されることを特徴とする請求項１又は２に記載の屋外用ＬＥＤ電光板ケース。
【請求項４】
前記第１フレーム及び／又は前記第２フレームは、複数のＬＥＤピクセルパネルを固定設置するためのＬＥＤピクセルパネル設置台を備えることを特徴とする請求項１〜３のいずれか一項に記載の屋外用オープン型ＬＥＤ電光板ケース。
【発明の詳細な説明】
【技術分野】
【０００１】
本発明は、屋外に設置される屋外用オープン型ＬＥＤ電光板ケースに関する。
【背景技術】
【０００２】
ＬＥＤ電光板は、電子看板として一般的に使われる広告手段であり、屋内又は屋外に設置し、文字やイメージを出力して多様な情報を提供することができる。このようなＬＥＤ電光板は、ＬＥＤピクセルパネル、駆動ドライバモジュール、電光板制御モジュール、電源モジュールなどを設置するためのＬＥＤ電光板ケースとを備えて構成される（例えば、特許文献１、２参照）。
【０００３】
ＬＥＤ電光板ケースの製作形態としては、設計されたＬＥＤ電光板の大きさに合うように事前に製作される事前製作形態と、所定の大きさに形成されたＬＥＤ電光板ケースユニットを複数結合して製作される組立製作形態とがある。例えば、特許文献１は事前製作形態を示しており、設計されたＬＥＤ電光板の大きさに合うように四角フレーム形状のＬＥＤ電光板ケースを前以て製作し、ここにピクセルパネル、駆動ドライバモジュール、電光板制御モジュール、電源モジュールなどを設置する。
【先行技術文献】
【特許文献】
【０００４】
【特許文献１】韓国特許第１０−２０１０−００５４６６９号公報
【特許文献２】韓国特許第２０−２００３−００４００６６号公報
【発明の概要】
【発明が解決しようとする課題】
【０００５】
しかし、上記のような従来のＬＥＤ電光板は、一体化された状態で設置されるので、メンテナンスが難しいという問題がある。特に、従来の屋外用ＬＥＤ電光板は、ＬＥＤ電光板ケースを一体的な防水構造としているので、例えば、ピクセルパネル、駆動ドライバモジュール、電光板制御モジュール、電源モジュールのいずれか一つに異常が生じても、修理のためにＬＥＤ電光板ケース全体を分解する必要があり、メンテナンス性に劣るという問題があった。
【課題を解決するための手段】
【０００６】
本発明は、上記の如き実情に鑑みこれらの課題を解決することを目的として創作されたものであって、屋外に設置されるＬＥＤ電光板のケースであって、第１フレームと、第２フレームと、前記第１フレームと前記第２フレームを開閉可能に結合するヒンジ部と、前記第１フレームと前記第２フレームを締結して閉鎖状態を維持するフレーム締結部とを備え、前記第１フレームは、前記第２フレームと対向する面に沿い、ケース外側方向を向いて形成される排水路と、前記排水路内の水が前記排水路と前記第２フレームとの間の空間に溢れることを防止する溢れ防止パッキンとを備え、前記第２フレームは、前記第１フレームと対向する面に沿い、前記排水路よりもケース外側位置に形成されるパッキン設置部と、前記パッキン設置部に設置され、前記第１フレームと前記第２フレームとの間の空間を防水する防水パッキンとを備えることを特徴とする。
また、前記溢れ防止パッキンは、前記第１フレームの排水路に形成された立上り部に圧入結合される結合部と、前記第２フレームに圧接される圧接部とで形成されることを特徴とする。
また、前記防水パッキンは、前記第２フレームのパッキン設置部に成形されるパッキン結合突起に圧入結合される結合部と、前記第１フレームに圧接される圧接部とで形成されることを特徴とする。
また、前記第１フレーム及び／又は前記第２フレームは、複数のＬＥＤピクセルパネルを固定設置するためのＬＥＤピクセルパネル設置台を備えることを特徴とする。
【発明の効果】
【０００７】
本発明によれば、ＬＥＤ電光板ケースが開閉自在に構成されるので、修理などに際してＬＥＤ電光板ケース全体の分解を不要にし、メンテナンス性の向上が図れる。しかも、開閉自在なＬＥＤ電光板ケースでありながら、防水パッキンと溢れ防止パッキンによる二重防水構造を備えるだけでなく、その間に排水路を備えるので、雨水などの流入を効果的に防止し、ＬＥＤ電光板ケース内部を雨水などから安全に保護することができる。
【図面の簡単な説明】
【０００８】
【図１】本発明の実施形態に係る屋外用オープン型ＬＥＤ電光板ケースの閉鎖状態を示す斜視図である。
【図２】本発明の実施形態に係る屋外用オープン型ＬＥＤ電光板ケースの開放状態を示す斜視図である。
【図３】本発明の実施形態に係る屋外用オープン型ＬＥＤ電光板ケースの要部断面図である。
【図４】本発明の実施形態に係る屋外用オープン型ＬＥＤ電光板ケースの防水構造を示す分解斜視図である。
【発明を実施するための形態】
【０００９】
以下、本発明の実施の形態について、図面に基づいて説明する。図１に示すように、本発明は、建物の外壁などに設置される屋外用ＬＥＤ電光板ケース１０に関するものであり、基本的な構成としては、第１フレーム１００と第２フレーム２００を備える。
【００１０】
図１に示すように、第１フレーム１００と第２フレーム２００は、正面視でほぼ均等な大きさであり、通常、四角パネル形状のＬＥＤ電光板に合わせて四角フレーム形状を有し、所定の内部空間が形成されるように所定の厚みを持つように形成される。
【００１１】
このような第１フレーム１００と第２フレーム２００は、鉄板を切曲して形成したり、所定の形状に射出された柱状のアルミニウム形材を所定の長さに切断し、これらを結合して形成することができる。このように金属素材で第１フレーム１００と第２フレーム２００に形成する場合、必要に応じてさび防止のため塗装及び所定の色相を持つように塗装を付加することができる。また、第１フレーム１００と第２フレーム２００は、エンジニアリングプラスチックのような強化プラスチックである合成樹脂射出物で形成することもできる。
【００１２】
第１フレーム１００と第２フレーム２００は、ヒンジ部３００を介して回動可能（開閉可能）に結合される。このヒンジ部３００による回動により、第１フレーム１００と第２フレーム２００は、図２に示すようにケース内部を開放することが可能になる。なお、ヒンジ部３００は、一方が第１フレーム１００に結合し、他方が第２フレーム２００に結合することにより、第１フレーム１００と第２フレーム２００を相対的に回動可能に結合するものであれば、多様な構造及び形態の回動手段を用いることができ、図に示す特定された本実施形態のヒンジ手段に限定されない。
【００１３】
また、屋外用ＬＥＤ電光板ケース１０は、第１フレーム１００と第２フレーム２００を開閉可能に結合するにあたり、第１フレーム１００と第２フレーム２００を締結して閉鎖状態を維持させるフレーム締結部４００を備える。これにより、屋外用ＬＥＤ電光板ケース１０は、通常使用時は閉鎖状態を維持可能になり、また、メンテナンス時にはフレーム締結部４００の締結を解除することにより、図２に示すようにケース内を開放することが可能になる。
【００１４】
なお、フレーム締結部４００は、一方が第１フレーム１００に結合し、他方が第２フレーム２００に結合することにより、第１フレーム１００と第２フレーム２００を締結することにより、閉鎖状態に拘束するものであれば、多様な構造及び形態の締結手段を用いることができ、図に示す特定された本実施形態の締結手段に限定されない。例えば、図１及び図２に示すような掛け金の形態の他、鍵やバックルなどの形態とすることもできる。
【００１５】
また、第１フレーム１００や第２フレーム２００には、複数のＬＥＤピクセルパネル（図示せず）を固定設置するためのＬＥＤピクセルパネル設置台５００を備えることができる。本実施形態のＬＥＤピクセルパネル設置台５００は、３列２段に並ぶ６枚のＬＥＤピクセルパネルを屋外用ＬＥＤ電光板ケース１０に固定設置するように構成されており、ＬＥＤピクセルパネル設置台５００を介してＬＥＤピクセルパネルを屋外用ＬＥＤ電光板ケース１０に固定することにより、複数のＬＥＤピクセルパネルを安定的に支持することが可能になる。
【００１６】
このようなＬＥＤピクセルパネル設置台５００は、正面又は背面のいずれか一方の面にだけＬＥＤピクセルパネルが設置される片面ＬＥＤ電光板の場合、第１フレーム１００又は第２フレーム２００に設置される。また、正面及び背面にＬＥＤピクセルパネルが設置される両面ＬＥＤ電光板の場合は、ＬＥＤピクセルパネル設置台５００が第１フレーム１００及び第２フレーム２００に設置される。
【００１７】
つぎに、本発明の要部である屋外型ＬＥＤ電光板ケース１０の防水構造について、図３及び図４を参照して説明する。
【００１８】
図３及び図４に示すように、第１フレーム１００は、第２フレーム２００と対向する面に沿い、ケース外側方向を向いて形成される排水路１１０を備える。本実施形態の排水路１１０は、第１フレーム１００の全周にわたって形成されており、第１フレーム１００と第２フレーム２００との間の隙間から侵入した雨水などの水を受止め可能な溝形状を有する。そして、排水路１１０で受け止められた水は、排水路１１０に沿って流れ、ケース下部において下方に落下するように排水される。
【００１９】
また、第１フレーム１００には、排水路１１０内の水が排水路１１０と第２フレーム２００との間の空間に溢れることを防止する溢れ防止パッキン１２０が設けられる。溢れ防止パッキン１２０は、弾性変形可能なゴム素材からなり、図３に示すように、排水路１１０に形成された立上り部１１１に圧入結合される結合部と、第２フレーム２００に圧接される圧接部とを一体に備えて形成さえることが望ましい。
【００２０】
一方、第２フレーム２００は、第１フレーム１００と対向する面に沿い、排水路１１０よりケース外側位置に形成されるパッキン設置部２１０と、該パッキン設置部２１０に設置され、第１フレーム１００と第２フレーム２００との間の空間を防水する防水パッキン２２０とを備える。防水パッキン２２０は、弾性変形可能なゴム素材からなり、図３に示すように、第２フレーム２００のパッキン設置部２１０に形成されたパッキン結合突起２１１に圧入結合される結合部と、第１フレーム１００に圧接される圧接部とを一体に備えて形成されることが望ましい。
【００２１】
上記のような防水構造によれば、屋外用ＬＥＤ電光板ケース１０は、第２フレーム２００に設置される防水パッキン２２０で雨水、ほこりなどの汚染物が外部から屋外用ＬＥＤ電光板ケース１０の内部に流入されることを１次的に阻止することができる。また、雨水などが防水パッキン２２０と第１フレーム１００の間から流入した場合であっても、第１フレーム１００に設置された排水路１１０を通じて排水させることで２次的な流入阻止を行なうことができる。さらにこの時、流入量が排水路１１０の容量を超過する場合に備え、排水路１１０と第２フレーム２００との間の空間に溢れ防止パッキン１２０を備えるので、排水路１１０内の雨水などが第２フレーム２００との間から屋外用ＬＥＤ電光板ケース１０の内部に流入することを３次的に阻止することができる。
【００２２】
以上、本発明の実施形態について説明したが、本発明の技術的思想は、前記実施形態に限定されるものではなく、特許請求の範囲に記載した範囲内で変形や変更が可能であることは勿論である。
【符号の説明】
【００２３】
１０    電光板ケース
１００  第１フレーム
１１０  排水路
１１１  立上り部
１２０  溢れ防止パッキン
２００  第２フレーム
２１０  パッキン設置部
２１１  パッキン結合突起
２２０  防水パッキン
３００  ヒンジ部
４００  フレーム締結部
５００  ピクセルパネル設置台
【図１】
2014081609.tif 000003
【図２】
2014081609.tif 000004
【図３】
2014081609.tif 000005
【図４】
2014081609.tif 000006